(57)【要約】  時計回り及び反時計回りの回転方向にそれぞれ３６０度回転する回転式シフト装置。シフト装置は、ベゼルカバー付きのパッケージハウジングを備える。円筒形のプランジャハウジングは、ハウジングの上に支持された回転ノブに固定される。回転ノブは、パークギア位置から、リバースギア位置、ニュートラルギア位置及び少なくとも１つのドライブギア位置のそれぞれに連続して時計回りに選択的に回転可能であり、時計回りにさらに回転させてもドライブギア位置の最後の位置を超えて動くことができない。さらに、ノブは反時計回りに選択的に回転してパークギア位置に戻ることができ、反時計回りにさらに回転させてもシフト装置をパークギア位置に保持する。
2020510177.tif 000002
【特許請求の範囲】
【請求項１】
時計回り及び反時計回りの回転方向にそれぞれ３６０度回転する回転式シフト装置であって、前記回転式シフト装置は、
ベゼルカバー付きのパッケージハウジングと、
回転ノブが固定された円筒形のプランジャハウジングであって、
前記ノブは、リバースギア位置、ニュートラルギア位置及び少なくとも１つのドライブギア位置のそれぞれに連続してパークギア位置から時計回り方向に選択的に回転可能であり、時計回りにさらに回転させてもドライブギア位置の最後の１つを超えて動くことはできず、
前記ノブは、パークギア位置に戻るために反時計回り方向に選択的に回転可能であり、反時計回りにさらに回転させてもシフト装置をパークギア位置に保持する、プランジャハウジングと、
前記ハウジングに組み込まれたＰＣＢ基板と、
前記ＰＣＢ基板に近接して延びる前記プランジャハウジングの下側であって、前記プランジャハウジングは、前記ＰＣＢ基板に組み込まれた位置センサに近接して配置された磁石をさらに備え、前記プランジャハウジングを前記パッケージハウジングに対して、その間に確立された内向き周囲形成戻り止めプロファイルによって案内されるように回転させると、回転ノブの位置を検出するために前記ＰＣＢ基板内の位置センサによって感知される磁場を調整する、下側と、
ドアラッチ又はシートベルトラッチの少なくともいずれかに連動した少なくとも１つの外部センサであって、起動条件が発生すると、前記ＰＣＢ基板に組み込まれたソフトウェアと通信して、前記ノブを動かさずにギアシフト位置をパークにリセットする、外部センサと、を具備する、回転式シフト装置。
【請求項２】
一対の下部で対向して半径方向に突出する案内部であって、一対の対向する鋼球を受容して戻り止めバネを支持するために内部が中空である案内部を有する前記プランジャハウジングをさらに具備する、請求項１に記載の回転式シフト装置。
【請求項３】
前記回転ノブは、前記プランジャハウジングの開いた上部リム内部に取り付けられた下側カラーであって、前記プランジャハウジングは、前記半径方向突出部分が前記内向き戻り止めプロファイルに連動する傾斜面と整列するように、順番に前記ベゼルカバー開口部と前記主パッケージハウジングに連動する別の開口部とを通って取り付けられた、下側カラーをさらに具備し、バネによって外向きに付勢された前記鋼球は、前記パッケージハウジングの前記内側リム表面内に形成された前記戻り止めプロファイル縁部と触覚誘導方式で相互作用する前記半径方向部分の前記開放内部内に支持され、前記ノブの案内された回転を確立する、請求項２に記載の回転式シフト装置。
【請求項４】
前記回転ノブと前記プランジャハウジングの受容プロファイルとの間の下側インターフェース間の支持を提供するノブシールをさらに具備する、請求項３に記載の回転式シフト装置。
【請求項５】
パーク、リバース、ニュートラル及び少なくとも１つのドライブのギア位置のそれぞれに連動した複数のライトパイプをさらに具備し、前記ライトパイプは、底部開放端が前記ＰＣＢ基板に組み込まれた個々のＬＥＤに連通するように前記ハウジング内に配置される、請求項４に記載の回転式シフト装置。
【請求項６】
前記個々のＬＥＤは、各シフト装置位置に対してそれぞれバックライト表示及びギア表示のそれぞれを提供するためのＬＥＤ対をさらに具備する、請求項５に記載の回転式シフト装置。
【請求項７】
時計回り及び反時計回りの回転方向のそれぞれに３６０゜回転する回転式シフト装置であって、
ハウジングの上に支持され、リバースギア位置、ニュートラルギア位置及び少なくとも１つのドライブギア位置のそれぞれに連続してパークギア位置から第１の方向に選択的に回転可能であり、さらに第１の方向に回転させてもドライブギア位置の最後の１つを超えて動くことはできないノブであって、
前記ノブはこのほか、リバース、ニュートラル及びドライブのギア位置のいずれかから第２の反対方向に選択的に回転してパークギア位置に戻り、第２の反対方向でさらに回転しても前記ノブがシフト装置をパークギア位置に保持する、ノブと、
ハウジングの底部内部に組み込まれたＰＣＢ基板と、
前記ノブに固定され、前記ハウジング内に延びるプランジャアセンブリであって、前記プランジャハウジングの下側が前記ＰＣＢ基板に近接して配置され、前記プランジャハウジングは、その一端部に固定され、前記ＰＣＢ基板に一体化された位置センサに近接して配置された磁石をさらに備え、その結果、前記プランジャハウジングを前記パッケージハウジングに対して回転させ、その間に確立された内向き周囲形成戻り止めプロファイルによって案内すると、回転したノブの位置を検出するためにＰＣＢ基板内の位置センサによって感知された磁場が調整される、プランジャアセンブリと、
ドアラッチ又はシートベルトラッチの少なくともいずれかに連動した少なくとも１つの外部センサであって、起動条件が発生すると、前記ＰＣＢ基板に組み込まれたソフトウェアと通信して、前記ノブを動かさずにギアシフト位置をパークにリセットする、外部センサと、を具備する、回転式シフト装置。
【請求項８】
一対の下部で対向して半径方向に突出する案内部分であって、一対の対向する鋼球を受容して戻り止めバネを支持するために内部が中空である案内部分を有する前記プランジャハウジングをさらに具備する、請求項７に記載の回転式シフト装置。
【請求項９】
前記回転ノブは、前記プランジャハウジングの開いた上部リム内部に取り付けられた下側カラーであって、前記プランジャハウジングは、前記半径方向突出部分が前記内向き戻り止めプロファイルに連動する傾斜面と整列するように、順番に前記ベゼルカバー開口部と前記主パッケージハウジングに連動する別の開口部とを通って取り付けられた、下側カラーをさらに具備し、バネによって外向きに付勢された前記鋼球は、前記パッケージハウジングの前記内側リム表面内に形成された前記戻り止めプロファイル縁部と触覚誘導方式に相互作用する前記半径方向部分の前記開放内部内に支持され、前記ノブの案内された回転を確立する、請求項８に記載の回転式シフト装置。
【請求項１０】
前記回転ノブと前記プランジャハウジングの受容プロファイルとの間の下側インターフェース間の支持を提供するノブシールをさらに具備する、請求項９に記載の回転式シフト装置。
【請求項１１】
パーク、リバース、ニュートラル及び少なくとも１つのドライブのギア位置のそれぞれに連動する複数のライトパイプをさらに具備し、前記ライトパイプは、底部開放端部がＰＣＢ基板に一体化された個々のＬＥＤと連通するように前記ハウジング内に配置される、請求項１０に記載の回転式シフト装置。
【請求項１２】
前記個々のＬＥＤは、各シフト装置位置に対してそれぞれバックライト表示及びギア表示のそれぞれを提供するためのＬＥＤ対をさらに具備する、請求項１１に記載の回転式シフト装置。
【発明の詳細な説明】
【技術分野】
【０００１】
本出願は、２０１７年３月１０日に出願された米国特許出願第６２／４６９，９４６号の優先権を主張する。
【０００２】
関連出願の相互参照
本発明は、時計回り又は反時計回りの回転方向のいずれかで３６０度回転する回転ノブを示す３６０度回転式シフト装置を開示する。ノブの形態の１つには、パーク（Ｐ）位置から、リバース（Ｒ）位置、ニュートラル（Ｎ）位置、ドライブ（Ｄ）位置及び（随意に）スポーツ（Ｓ）／オーバードライブ（Ｏ）位置のそれぞれへの時計回りの回転が挙げられる（反時計回りに回転させると、組み込みソフトウェアの指示に従ってシフト装置がパークに留まる。この特徴はこのほか、ドライブ又はオーバードライブ／スポーツの各位置を超えて時計回りに回転し続ける場合に有効である）。
【０００３】
ソフトウェアは、シートベルトラッチ、ドアラッチなどに連動した外部センサからの入力信号に応答して、シフト装置をパーク位置にリセットする機能をさらに提供する。図示のように、シフト装置のパーク位置へのリセットは、任意の構成要素（特に回転ノブ）の移動を指示することなく、ソフトウェアコンポーネントを介して実施される。ノブの回転を決定する物理的な止め具を除去する能力により、ソフトウェアのみでギア位置（パーク以外）をパーク位置にリセットすることができ、従来技術に伴うパークロック機構又はパークへの復帰機構の必要性がなくなる。この方式では、ソフトウェアは、ノブをいずれかの方向に回転させると、４つ又は５つの位置（ＰＲＮＤＳ）のみを許可することになる。
【０００４】
ＰＣＢ（プリント回路）基板が、回転ノブ、ベゼル、ハウジング及びプランジャハウジングアセンブリとともに、回転式シフト装置パッケージアセンブリに組み込まれる。複数のライトパイプが、パーク及び回転したＲＮＤ位置のそれぞれの表面位置表示器と連通する。さらに説明するように、ＬＥＤ対（一方はバックライト表示用、他方はギア表示用）がＰＣＢに組み込まれ、各ライトパイプの底部の下に配置される。
【０００５】
プランジャハウジングの下側にはこのほか、磁石が組み込まれる。この磁石は、ハウジングを回転させると、回転したノブの位置を検出するためにＰＣＢ基板内の（例えば、任意の適切なタイプの誘導又は磁気ホール効果センサでもあると理解される）位置センサによって感知される磁場を調整する。ノブ一体型プランジャハウジングと外部パッケージ支持ハウジングとの間の案内された回転が、対向する半径方向延伸底部に組み込まれた一対の対向する鋼球と支持戻り止めバネによって支援される。この対向する半径方向延伸底部は、ノブの回転を、パッケージハウジングの内側リム表面内に形成された対向周囲延伸戻り止めプロファイルに対して案内する。さらに、戻り止めプロファイルは、所与のシフト位置の明確な触覚／感触を提供するように構成される。
【背景技術】
【０００６】
従来技術は、３６０度の回転機能を示す回転式シフト装置アセンブリのさまざまな例とともに文書化されており、その例が図１Ａ〜図１Ｄに示される。このような図には、ランドローバー（図１Ａの２）、クライスラー２００（図１Ｂの４）、フォードフュージョン（図１Ｃの６）及びジャガー（図１Ｄの８）のプラットフォームのそれぞれを含む現行の車両に関連する既知のシフト装置のそれぞれの略図が含まれる。
【０００７】
従来の特許技術から知られている他の例には、電子ギアシフトリセット機能を備えた収納可能なシフト装置を教示するＤｅＪｏｎｇｅｔの特許文献１（米国特許第６，５６４，６６１号）が挙げられる。要約で言及しているように、最も概略的に説明したシフト装置は、トランスミッションの切り替えを要求するために移動可能なドライバーインターフェースモジュール（ＤＩＭ）２１と、現在選択されているギア位置を示すとともに新たに選択されたギア位置を示す表示を有するディスプレイ２３とを備える。
【０００８】
特許文献１の図８の拡大斜視図は、ＤＩＭモジュール２１に連動した機能の集合を示すものとして特に参照されており、例えば、段落４の３２行目以降の開示の仕様と組み合わせて読むことができる。別の機能には、ドライバーインターフェースモジュール２１に動作可能に結合されたコントローラ２６と、ディスプレイと、所定の車両条件を検知するためのセンサ２５とが挙げられる。コントローラ２６は、所定の車両条件が満たされていることを車両センサ２５が示す場合はトランスミッションを切り替えてディスプレイを変更するが、所定の車両条件が満たされない場合はトランスミッションを切り替えず、さらにディスプレイを第１の表示にリセットする。この構成により、シフト装置は、絶対位置ではなくＤＩＭの相対位置に基づいて感知して切り替える。シフト装置は、収納可能であり、カバーを使用して収納位置にあるときに隠すことができる。
【０００９】
他の既知の例には、Ｃｕｒｔｉｓの特許文献２（米国特許出願公開第２０１２／０１４３４０９号）のシフトコントローラ、Ｍｉｒｅｔの特許文献３（米国特許出願公開第２００９／００６４８０９号）の回転式制御ノブアセンブリ及びＰｉｃｋｅｒｉｎｇの特許文献４（米国特許出願公開第２００６／００３７４２４号（米国特許第７，５７１，６６２号））の回転式セレクター機構が挙げられる。Ｌｅｏｎの特許文献５（米国特許出願公開第２０１１／００２５４８８号）は、ノブ選択位置に基づいて第１の表示と第２の表示の間でディスプレイに命令するためのコントローラを備えた回転式シフト装置の基本例を示す。
【先行技術文献】
【特許文献】
【００１０】
【特許文献１】米国特許第６，５６４，６６１号
【特許文献２】米国特許出願公開第２０１２／０１４３４０９号
【特許文献３】米国特許出願公開第２００９／００６４８０９号
【特許文献４】米国特許出願公開第２００６／００３７４２４号（米国特許第７，５７１，６６２号）
【特許文献５】米国特許出願公開第２０１１／００２５４８８号
【発明の概要】
【００１１】
本発明は、時計回り及び反時計回りの回転方向のそれぞれに３６０度回転する回転式シフト装置を教示する。このシフト装置は、ベゼルカバー付きのパッケージハウジングを備える。円筒形のプランジャハウジングが、ハウジングの上に支持された回転ノブに固定される。この回転ノブは、パーク（Ｐ）ギア位置から、リバース（Ｒ）ギア位置、ニュートラル（Ｎ）ギア位置及び少なくとも１つのドライブ（Ｄ）ギア位置のそれぞれに連続して時計回りに選択的に回転可能である。時計回りにさらに回転させてもドライブギア位置の最後の位置を超えて動作することはできない。さらに、ノブは反時計回りに選択的に回転してパークギア位置に戻すことが可能である。反時計回りにさらに回転させてもシフト装置をパークギア位置に保持する。
【００１２】
ＰＣＢ基板がハウジングに組み込まれ、プランジャハウジングの下側がＰＣＢ基板の近傍まで延びる。プランジャハウジングは、ＰＣＢ基板に組み込まれた位置センサの近傍に配置された磁石をさらに備える。プランジャハウジングとパッケージハウジングとの間に確立された内向き周囲形成戻り止めプロファイルによる案内に従ってプランジャハウジングをパッケージハウジングに対して回転させると、回転したノブの位置を検出するためにＰＣＢ基板内の位置センサによって感知される磁場が調整される。
【００１３】
ドアラッチ又はシートベルトラッチの少なくともいずれかに連動した少なくとも１つの外部センサが、起動条件の発生時に、ＰＣＢ基板に組み込まれたソフトウェアと通信して、ノブを動かさずにギアシフト位置をパークにリセットする。
【００１４】
他の機能には、下部で対向して半径方向に突出する一対の案内部分を有するプランジャハウジングが挙げられる。この一対の案内部分は、一対の対向する鋼球を受容し、戻り止めバネを支持するために内部が中空である。回転ノブは、プランジャハウジングの開いた上部リム内部に取り付けられた下側カラーをさらに備える。プランジャハウジングは、半径方向突出部が内向き戻り止めプロファイルに連動する傾斜面と整列するように、順番にベゼルカバー開口部と、主パッケージハウジングに連動した別の開口部とを通して取り付けられる。バネによって外側に付勢された鋼球は、ノブの案内された回転を確立するために、パッケージハウジングの内側リム表面内に形成された戻り止めプロファイル縁部と触覚誘導方式で相互作用する半径方向部分の開いた内部で支持される。
【００１５】
さらに別の機能には、回転ノブとプランジャハウジングの受容プロファイルとの間の下側インターフェース間を支持するノブシールが挙げられる。複数のライトパイプがパーク、リバース、ニュートラル及び少なくとも１つのドライブギア位置のそれぞれに連動する。ライトパイプは、底部開放端部がＰＣＢ基板に組み込まれた個々のＬＥＤと連通するようにハウジング内に配置される。個々のＬＥＤは、各シフト装置位置にそれぞれバックライト表示とギア表示を提供するＬＥＤ対をさらに含む。
【図面の簡単な説明】
【００１６】
ここで、添付の図面を参照すると、以下の詳細な説明と組み合わせて読んだ場合、いくつかの図を通して類似する参照番号は類似する部分を指す。
【図１Ａ】従来技術による３６０度回転機能を備えた回転式シフト装置の従来技術例の図。
【図１Ｂ】従来技術による３６０度回転機能を備えた回転式シフト装置の従来技術例の図。
【図１Ｃ】従来技術による３６０度回転機能を備えた回転式シフト装置の従来技術例の図。
【図１Ｄ】従来技術による３６０度回転機能を備えた回転式シフト装置の従来技術例の図。
【図２】本発明の非限定的な一変形例による回転式シフト装置の平面図であって、パーク、リバース、ニュートラル及びドライブの位置のそれぞれの間で切り替えることができる回転ノブを示す図。
【図３】本発明の非限定的な一変形例による３６０度回転機能を備えた回転式シフト装置パッケージの分解図。
【図４】回転ノブ及びプランジャハウジングサブアセンブリの分解斜視図。
【図５】ノブ一体型プランジャハウジングと外側パッケージ支持ハウジングとの間の案内された回転を示す下側の組立図であって、この回転は一対の対向する鋼球と、支持戻り止めバネによって支援され、この支持戻り止めバネは、対向する半径方向延伸底部に組み込まれ、この底部は、パッケージハウジングの内側リム表面内に形成された対向周囲延伸戻り止めプロファイルに対するノブの回転を案内し、戻り止めプロファイルの構成は、所与のシフト位置の明確な触覚／感触をさらに提供し、ノブが全ギア位置で中央に戻ることをさらに確実なものにする図。
【図６】ＰＲＮＤライトパイプの配置のほか、センサ及びＬＥＤ支持プリント回路（ＰＣＢ）基板を示すために、ベゼルカバー、主パッケージハウジング及び底部カバーを取り外した、回転式シフト装置の照明部品及び外側パッケージ部品を部分的に裏返して見た下側の図であって、ＬＥＤ素子は、各シフト装置位置のバックライト表示とギア表示の両方を提供するためにそれぞれが対になって提供され、磁石をこのほか組み込んだプランジャハウジングの下側をさらに示し、この磁石は、ハウジングを回転させると、回転したノブの位置を検出するために、任意の適切なタイプの誘導又は磁気ホール効果センサであるとさらに理解されるようなＰＣＢ基板内の位置センサによって感知される磁場を調整する図。
【発明を実施するための形態】
【００１７】
ここで図２〜図６を参照すると、本発明は、３６０度の回転機能を備えた回転式シフト装置を開示する。図３は、本発明の非限定的な一変形例による、概ね１０で示す回転式シフト装置パッケージの分解図を提供する。
【００１８】
さらに、図２及び図３のそれぞれを参照すると、シフト装置アセンブリは、ベゼルカバー１４が取り付けられた三次元長方形ハウジング１２を形成する主パッケージを備える。ベゼルカバーは、環状開口部（図３の内側リム１６を参照）をさらに備える。この開口部は、さらに説明するように、回転ノブサブアセンブリの機能への受容アクセスを提供する。
【００１９】
図５の下側斜視図にさらに示すように、主パッケージハウジング１２に組み込まれたリムを形成する内側開口が、擬似円形及び多角形鋸歯状の内部プロファイルに近似する往復パターンで配置された複数の短縮相互接続傾斜面によって形成される周囲延在戻り止めプロファイル１８を示す。回転ノブサブアセンブリに連動した概ね円筒形のプランジャハウジング２２が設けられ、一対の下部で対向して半径方向に突出する案内部２４及び２６を備える。案内部は、内部が中空であり、両端部２５及び２７（図４）にて、一対の対向する鋼球２８／３０を受容し、戻り止めバネ３２／３４を支持するように構成される。
【００２０】
回転ノブ３５が、プランジャハウジング２２の開いた上部リム内部に取り付けられた下側カラー３６（図３を参照）を備える。ベゼルカバー１４が主パッケージハウジング１２の上に取り付けられ（主パッケージハウジング１２の上部リムから外側に突出する位置合わせタブ１７を受容するベゼル１４の長方形側部窓１５を参照）、プランジャハウジング２２がベゼルカバー開口部１６と、（開口部１６を囲むベゼルカバー１４の環状リム上に回転可能に支持されたノブ３４を有する）主パッケージハウジング１２に連動した別の開口部２０とを通って取り付けられると、半径方向突出部２４／２６は内向き戻り止めプロファイル１８と整列する。半径方向部分２４／２６の開放内部内に支持され、バネによって外向きに付勢された鋼球２８／３０は、（図５に最もよく示すように）パッケージハウジングの内側リム表面内に形成された戻り止めプロファイル縁部１８と触覚誘導方式で相互作用し、この縁部に対するノブ３４の案内された回転を確立する。このように、戻り止めプロファイルの構成は、所与のシフト位置の明確な触覚／感触をさらに提供し、後述するように、ノブが全ギア位置で中心に戻ることをさらに確実なものにする。
【００２１】
回転ノブ３５は、回転ノブカラー３６とプランジャハウジング２２の受容プロファイルとの間の下側インターフェース間の支持を提供する（図３に示す）ノブシール３８をさらに備える。
【００２２】
下方に配置されたプリント回路（ＰＣＢ）基板を４０で示す。図３にさらに示すように、ＰＣＢ４０はパッケージ内部の概ね底部に配置され、ＰＣＢ４０の下に支持された底部カバー４４にネジ４２によって固定され（ＰＣＢ４０と底部カバー４４は、ネジ４２をそれぞれ受容する開口３９及び４１の位置合わせ対を有する）、これは次に、主ハウジング１２の下側外部長方形リム縁部４６と嵌合する。図２にさらに最もよく示すように、外側パッケージハウジング１２は、車両環境内にアセンブリ全体を取り付けるための周辺取付タブ又は部分（４８、５０、５２及び５４を参照）を備えることができる。このほか、底部カバー４４から突出するタブ４３が示される。タブ４３は、図２及び図３に最もよく示すように、パッケージハウジングをともに組み立てるために、主ハウジング１２の整列下縁部に沿って設けられた受容開口４５内に収まる。
【００２３】
プランジャハウジング２２の下側にはこのほか、磁石５６（図８参照）が一体化される。この磁石は、主パッケージハウジング１２に対してハウジング２２を回転させ、内部戻り止めプロファイル１８によって案内されると、回転ノブ位置を検出するためにＰＣＢ基板４０内の（例えば、任意の適切なタイプの誘導又は磁気ホール効果センサでもあると理解される）位置センサ５８によって感知される磁場を調整する。
【００２４】
複数のライトパイプが設けられ、パーク位置ライトパイプ６０、リバース位置ライトパイプ６２、ニュートラル位置ライトパイプ６４及びドライブ位置ライトパイプ６６のそれぞれを含む。ライトパイプ６０〜６６のそれぞれは、底部開放端部がＰＣＢ基板４０に組み込まれたＬＥＤの個々の対と連通することができるように、パッケージハウジング内で支持される。
【００２５】
ＬＥＤは図６の下側斜視図に示されており、中央のパークライトパイプ６０には６８／７０の対、リバースライトパイプ６２には７２／７４の対、ニュートラルライトパイプ６４には７６／７８の対、ライトパイプ６６には８０／８２の対が設けられる。ＬＥＤを対にして、それぞれがバックライト表示とギア表示を提供する。このほか、図２の上部ベゼルカバー１４に形成された点灯ＰＲＮＤ位置（それぞれ８４、８６、８８及び９０を参照）を参照する。これまでに記載したように、回転式シフト装置の変更にはこのほか、追加のスポーツ（Ｓ）又は他のギアドライブシフト装置位置を挙げることができる。
【００２６】
このようにして、本発明は、回転ノブが、戻り止め感触を伴って、第１の時計回り回転方向又は第２の反時計回り回転方向のいずれかに３６０°回転することができる３６０°回転式シフト装置を開示する。さらに、運転者が車両を降りる準備をしているときにギア位置がパーク以外の任意のギアのままである場合、リモートスイッチが起動して、ＰＣＢ４０に組み込まれたシフト装置ソフトウェアが、いかなる部品も移動させることなく、ノブの現在位置をパークに「リセット」することになる。
【００２７】
以下でさらに説明するように、ソフトウェアはさらに、例えば、シートベルトラッチ、ドアラッチなどに連動した外部センサからの入力信号に応答して、シフト装置をパーク位置にリセットする。図示のように、シフト装置のパーク位置へのリセットは、任意の部品（特に回転ノブ）の移動を指示することなく、ソフトウェアコンポーネントを介して実施される。ノブの回転を指示する全物理的止め具を除去する能力により、ソフトウェアのみによって（パーク以外の）ギア位置をパーク位置にリセットすることができ、従来技術に伴うパークロック又はパークへの復帰の必要性がなくなる。
【００２８】
本発明を説明してきたが、他の追加の実施形態が、添付の特許請求の範囲から逸脱することなく、本発明に関係する当業者に明らかになるであろう。
【図１Ａ】
2020510177.tif 000003
【図１Ｂ】
2020510177.tif 000004
【図１Ｃ】
2020510177.tif 000005
【図１Ｄ】
2020510177.tif 000006
【図２】
2020510177.tif 000007
【図３】
2020510177.tif 000008
【図４】
2020510177.tif 000009
【図５】
2020510177.tif 000010
【図６】
2020510177.tif 000011
【国際調査報告】
2020510177.tif 000012
2020510177.tif 000013